【手続補正書】
【提出日】平成16年2月12日(2004.2.12)
【手続補正１】
【補正対象書類名】明細書
【補正対象項目名】全文
【補正方法】変更
【補正の内容】
【発明の名称】育苗箱用の肥料や薬剤の粒剤繰出装置
【特許請求の範囲】
【請求項１】育苗箱２を移送する移送台１の上方位置に、横軸回転で外周面に母線方向に平行な横条溝形状の繰出凹部１１を所定間隔をおいて複数並設した横軸繰出ロール１０と、該横軸繰出ロール１０の回転上昇側の側面に臨ませた供給ホッパー６と、前記横軸繰出ロール１０の上面側に設けた接触面において反対方向回転する回転ブラシ１５と、該回転ブラシ１５の下方を通過して横軸繰出ロール１０の繰出凹部１１より落下する粒剤４を下方の育苗箱２へ案内する落下ガイド１６とを設けた育苗箱用の肥料や薬剤の粒剤繰出装置。
【請求項２】育苗箱２を移送する移送台１の上方位置に、横軸回転で外周面に母線方向に平行な横条溝形状の繰出凹部１１を所定間隔をおいて複数並設した横軸繰出ロール１０と、該横軸繰出ロール１０の上方に設けた供給ホッパー６と、該供給ホッパー６の粒剤４を繰出凹部１１を有する横軸繰出ロール１０と、前記繰出凹部１１より落下する粒剤４を下方の育苗箱２へ案内する落下ガイド１６とを設けた育苗箱用の肥料や薬剤の粒剤繰出装置。
【請求項３】請求項１または請求項２において、前記落下ガイド１６は、平板形状に形成すると共に、横軸繰出ロール１０の外周より所定間隔を置いて離れて位置させて横軸繰出ロール１０の外周との間に繰出凹部１１より落下する粒剤４を下方の育苗箱２へ誘導し上下共開放した誘導流路１７を形成した育苗箱用の肥料や薬剤の粒剤繰出装置。
【請求項４】請求項１〜請求項３の何れか１項において、前記落下ガイド１６は、上部より下方に至るに従い横軸繰出ロール１０に近づく方向に傾斜させた育苗箱用の肥料や薬剤の粒剤繰出装置。
【請求項５】請求項１〜請求項４の何れか１項において、前記横軸繰出ロール１０は、育苗箱２の移送方向を基準に後側を回転下降側とし、前記落下ガイド１６は、前記横軸繰出ロール１０の回転下降側に移送方向を基準に下方に至るに従い前側に位置するように傾斜させた育苗箱用の肥料や薬剤の粒剤繰出装置。
【請求項６】請求項１〜請求項５の何れか１項において、前記横軸繰出ロール１０および回転ブラシ１５は、可変速モータ２８により駆動するようにすると共に、前記移送台１に対して取付部材３０により着脱自在に取付けて取付位置を変更可能に構成した育苗箱用の肥料や薬剤の粒剤繰出装置。
【請求項７】請求項１〜請求項６の何れか１項において、前記横軸繰出ロール１０を有する繰出装置５は、前記移送台１に設けた灌水装置３３の前記育苗箱２の移送方向前側に設けた育苗箱用の肥料や薬剤の粒剤繰出装置。
【請求項８】請求項１〜請求項６の何れか１項において、前記横軸繰出ロール１０を有する繰出装置５は、前記移送台１の種子繰出装置３１と土繰出装置３２の間に設けた育苗箱用の肥料や薬剤の粒剤繰出装置。
【発明の詳細な説明】
【０００１】
【産業上の利用分野】
本発明は、移送中の育苗箱に床土や種子や肥料・薬剤を供給する播種装置に使用する肥料や薬剤を供給する育苗箱用施肥・薬装置に係るものであり、特に、粒状の肥料・薬剤を供給する育苗箱用の肥料や薬剤の粒剤繰出装置に係るものである。
【０００２】
【従来技術】
従来公知の特開平１０−２１５６９５号公報には、育苗箱を移送する移送台の上方位置に、横軸回転で外周面に繰出凹部を複数設けた横軸繰出ロールと、該横軸繰出ロールの外周側面に接触する回転ブラシと、該横軸繰出ロールの外周側面に当接して繰出凹部に嵌合した粒剤を下方まで案内する誘導体とを設けた構成について記載されている。
【０００３】
【発明が解決しようとする課題】
前記公知例は、繰出凹部に嵌合した粒剤を横軸繰出ロールの外周側面に接触するガイド体により案内するため、肥料・薬剤粒によっては均一に散布できないという課題がある。
即ち、横状溝に嵌合した粒剤をそのまま下方に誘導して、自然落下させるため、粒剤は一列になって落下し、均一に落下させられないのである。
また、粒剤の繰出方法を誤ると、移送中の育苗箱の壁ａが障害となって、この壁ａに遮られた部分（斜線部分）に粒剤ｂを散布できという別の課題も発生する。
しかし、粒剤の繰出を研究すると、粒剤であれば、多量〜少量まで散布しうる粒剤を選ばない装置を提供できる。
【０００４】
【発明の目的】
施肥・薬作業の機械化、育苗箱への施肥・薬作業の容易化、多量〜少量まで供給量への対応の実現、肥料・薬剤混入割合の変更の容易化、施肥・薬作業能力の向上。
【０００５】
【課題を解決するための手段】
本発明は、育苗箱２を移送する移送台１の上方位置に、横軸回転で外周面に母線方向に平行な横条溝形状の繰出凹部１１を所定間隔をおいて複数並設した横軸繰出ロール１０と、該横軸繰出ロール１０の回転上昇側の側面に臨ませた供給ホッパー６と、前記横軸繰出ロール１０の上面側に設けた接触面において反対方向回転する回転ブラシ１５と、該回転ブラシ１５の下方を通過して横軸繰出ロール１０の繰出凹部１１より落下する粒剤４を下方の育苗箱２へ案内する落下ガイド１６とを設けた育苗箱用の肥料や薬剤の粒剤繰出装置としたものである。
本発明は、育苗箱２を移送する移送台１の上方位置に、横軸回転で外周面に母線方向に平行な横条溝形状の繰出凹部１１を所定間隔をおいて複数並設した横軸繰出ロール１０と、該横軸繰出ロール１０の上方に設けた供給ホッパー６と、該供給ホッパー６の粒剤４を繰出凹部１１を有する横軸繰出ロール１０と、前記繰出凹部１１より落下する粒剤４を下方の育苗箱２へ案内する落下ガイド１６とを設けた育苗箱用の肥料や薬剤の粒剤繰出装置としたものである。
本発明は、前記落下ガイド１６は、平板形状に形成すると共に、横軸繰出ロール１０の外周より所定間隔を置いて離れて位置させて横軸繰出ロール１０の外周との間に繰出凹部１１より落下する粒剤４を下方の育苗箱２へ誘導し上下共開放した誘導流路１７を形成した育苗箱用の肥料や薬剤の粒剤繰出装置としたものである。
本発明は、前記落下ガイド１６は、上部より下方に至るに従い横軸繰出ロール１０に近づく方向に傾斜させた育苗箱用の肥料や薬剤の粒剤繰出装置としたものである。
本発明は、前記横軸繰出ロール１０は、育苗箱２の移送方向を基準に後側を回転下降側とし、前記落下ガイド１６は、前記横軸繰出ロール１０の回転下降側に移送方向を基準に下方に至るに従い前側に位置するように傾斜させた育苗箱用の肥料や薬剤の粒剤繰出装置としたものである。
本発明は、前記横軸繰出ロール１０および回転ブラシ１５は、可変速モータ２８により駆動するようにすると共に、前記移送台１に対して取付部材３０により着脱自在に取付けて取付位置を変更可能に構成した育苗箱用の肥料や薬剤の粒剤繰出装置としたものである。
本発明は、前記横軸繰出ロール１０を有する繰出装置５は、前記移送台１に設けた灌水装置３３の前記育苗箱２の移送方向前側に設けた育苗箱用の肥料や薬剤の粒剤繰出装置としたものである。
本発明は、前記横軸繰出ロール１０を有する繰出装置５は、前記移送台１の種子繰出装置３１と土繰出装置３２の間に設けた育苗箱用の肥料や薬剤の粒剤繰出装置としたものである。
【０００６】
【実施例】
本発明の一実施例を図面により説明すると、１は播種用育苗箱２を移送する移送台であり、該移送台１は周知の構成で前記育苗箱２の移送方向に長く形成し、所望位置に設けた支脚３により床上に載置される。移送台１には移送ロール、搬送ベルト等の前記育苗箱２の移送手段を設けて構成する。
移送台１の上方位置には、肥料または薬剤の粒剤４（図５）を繰り出す粒剤繰出装置５を設ける。粒剤４は、所謂コーティング等の手段により所定の時間を掛けて肥料あるいは薬成分が徐々に溶出するように構成されているものであり、粒剤４上に直接種子を播種しても、種子の発芽・成長に対して所謂肥料・薬焼けの現象は発生せず、また、形状は球形状に限定されず、粒あるいは結晶状のものであればよく、粉末は除かれる。
粒剤繰出装置５は、上部に供給ホッパー６を設け、該供給ホッパー６の下部は所謂倒八状に誘導板７と誘導板８に形成する。誘導板７と誘導板８のうち一方の誘導板７は短く形成して、他方の誘導板８の上面との間に流下口９を形成する。誘導板８の先端は誘導板７の先端より伸ばして横軸繰出ロール１０の回転上昇側の外周に臨ませる。
【０００７】
前記横軸繰出ロール１０は、その外周面に母線方向に平行な横条溝形状の繰出凹部１１を所望の間隔をおいて全周に形成する。繰出凹部１１は、粒剤４より大きい幅と深さを有して形成し、横軸繰出ロール１０の回転方向の繰出凹部１１内に複数粒が嵌合するように構成し、横軸繰出ロール１０の回転上昇側外周面と誘導板８の先端が臨む部分の嵌合部１２で粒剤４を嵌合させ、横軸繰出ロール１０の回転下降側部分で粒剤４を放擲させる。そのため、繰出凹部１１の横軸繰出ロール１０の回転上昇側部分は角を有する角部（エッジ部）１３に形成し、繰出凹部１１の横軸繰出ロール１０の回転下降側部分は面取りした傾斜面１４に形成している。
横軸繰出ロール１０の直上位置よりやや回転下降側には、繰出凹部１１に嵌合しない粒剤４を掃き戻す回転ブラシ１５を設ける。
【０００８】
しかして、横軸繰出ロール１０の回転下降側には回転ブラシ１５を通過した粒剤４の落下を案内する落下ガイド１６を設ける。
落下ガイド１６は、平板により形成し、横軸繰出ロール１０の外周より所定間隔を置いて離して位置させ、横軸繰出ロール１０の外周と落下ガイド１６との間に誘導流路１７を形成する。前記落下ガイド１６は下方に至るに従い前側に位置するように傾斜させて形成する。
即ち、横軸繰出ロール１０の外周より所定間隔を置いて離して落下ガイド１６を位置させているから、回転ブラシ１５の下方を通過した繰出凹部１１に嵌合した粒剤４は、横軸繰出ロール１０の下降回転により直ちに繰出凹部１１より落下するものと、下方位置にて落下するものとに別れ、更に、繰出凹部１１から放擲される際に、横軸繰出ロール１０と共回りして回転慣性が付与されるものと、少ないものとに別れ、また、飛散した粒剤４のうち一部は落下ガイド１６に当たって反射して落下するものと、落下ガイド１６に非接触のまま誘導流路１７を落下するものがある等の種々の理由から、同じ列の繰出凹部１１に嵌合した粒剤４であっても、下方の育苗箱２に供給されるタイミングにタイムラグを発生させることができ、条溝形状の繰出凹部１１により形成した横軸繰出ロール１０によっても、前後に散乱させて粒剤４を育苗箱２に供給できる（図５）。
したがって、誘導流路１７の幅は、繰出凹部１１から放擲された粒剤４が落下ガイド１６に当たるものと、当たらないものとが略半々となるように設定すると、タイムラグを発生させ易くなって、好適である。
【０００９】
２０は落下ガイド１６の落下ガイド取付板部、２１は落下ガイド取付板部２０と落下ガイド１６の間の誘導流路１７に粒剤４を誘導する上部誘導板、２２は落下ガイド１６の左右側に設けた飛散防止板であり、飛散防止板２２は落下ガイド１６より左右外側に粒剤４が飛散するのを防止して、育苗箱２まで案内する。２３は飛散防止板２２の下部に設けた左右寄ガイド部である。
前記横軸繰出ロール１０および回転ブラシ１５は、粒剤繰出装置５のフレーム２５に回転軸２６、２７を夫々軸装して取付け、回転軸２６と回転軸２７にはモータ２８の回転を伝達させて作動させる。
この場合、モータ２８は可変速モータとすると、粒剤４の繰出量を変更調節できて、好適である。２８ａは可変速モータ２８の調節ダイヤルである。
また、このモータ２８により粒剤繰出装置５を作動させる構成の場合、フレーム２５を任意の取付部材３０により移送台１に着脱自在に取付けると、粒剤４の散布するタイミングを変更でき、好適である。
【００１０】
即ち、粒剤４は、育苗箱２に床土を供給後覆土する間に、育苗箱２へ供給すると、育苗した苗と共に圃場に持ち込まれ、圃場における施肥・施薬作業を省力化でき、そのため、移送台１に設けた床土供給装置と覆土供給装置の間移動させられるように、取付部材３０により着脱自在に移送台１に取付ける。
しかして、図１では種子繰出装置３１と土繰出装置３２とを設けており、最初移送台１に育苗箱２を供給して土繰出装置３２により床土を供給し、この床土を供給した育苗箱２を移送台１に供給して播種と覆土を行うように構成している。この場合、粒剤繰出装置５は、移送台１の始端部側上方位置に設けた灌水装置３３の前側に設けている。また、図９では、前記種子繰出装置３１と土繰出装置３２の間に設けている。
また、図１０、１１の実施例は、モータ２８に変えて移送台１の回転を伝達して粒剤繰出装置５を作動させるものであり、回転入り切りクラッチ３４により回転を入り切りさせている。３５は操作レバー、３６は操作レバー３５を係合させる操作溝である。
移送台１には、図示または説明を省略しているが、余分に供給した床土を除去する横軸駆動回転の回転均平ブラシ、育苗箱２の後壁緒および前壁の隅部の床土を押圧する隅部押圧均平装置等を設けてもよい。
【００１１】
【作用】
次に作用を述べる。
育苗箱２の移送手段を有する移送台１の上方位置には、肥料または薬剤の粒剤４を繰り出す粒剤繰出装置５を設けているから、移送中の育苗箱２は粒剤繰出装置５から粒剤４の供給を受ける。
粒剤繰出装置５は、上部に供給ホッパー６を設け、該供給ホッパー６の下部は所謂倒八状に誘導板７と誘導板８に形成しているから、供給ホッパー６に粒剤４を供給すると、粒剤４は誘導板７により誘導板８に誘導され、誘導板８上の粒剤４は横軸繰出ロール１０に向かって誘導され、横軸繰出ロール１０の繰出凹部１１に嵌合する。
横軸繰出ロール１０の繰出凹部１１に嵌合した粒剤４は、横軸繰出ロール１０の回転により共回りし、回転ブラシ１５により繰出凹部１１に嵌合しない余分な粒剤４が掃き戻され、繰出凹部１１に嵌合している粒剤４は更に横軸繰出ロール１０と共回りする。
【００１２】
横軸繰出ロール１０の回転下降側には、横軸繰出ロール１０の外周より所定間隔を置いて離れて位置する落下ガイド１６を設けているだけであるから、繰出凹部１１に嵌合した粒剤４は、重力と横軸繰出ロール１０の遠心力の作用を受けて繰出凹部１１から落下する。
したがって、横軸繰出ロール１０の回転下降側になると、すぐに粒剤４が繰出凹部１１から外れることが可能となること、粒剤４が繰出凹部１１から外れるタイミングが繰出凹部１１への嵌まり具合やその他の種々の条件によりずれることから、同じ列の繰出凹部１１に嵌合した粒剤４であっても、繰出凹部１１から外れて下方の育苗箱２に落ちるまでにタイムラグが生じ、この間育苗箱２は移動するから粒剤４は前後に散乱して育苗箱２に落下供給されることになる。
特に、約３０cm×約６０cm程度の育苗箱２に５０ｇ程度の少量の粒剤４を散布する場合でも、一列に嵌合した粒剤４を前後に散乱させて略均一に繰出すことができ、少ない量の粒剤４でも均等にばらまき供給できる。
【００１３】
即ち、肥料や薬剤の中には一つの育苗箱２に１kg程度供給するものから５０ｇ程度の供給量ですむものまで種々あるが、少ない供給量のものを均一に供給するのは頗る困難であるが、本願のように、横軸繰出ロール１０から育苗箱２に落下する間にタイムラグを発生させて落ちるタイミングをずらせてやることにより、均一散布を実現できる。
この場合、落下ガイド１６は、横軸繰出ロール１０の外周より所定間隔を置いて離れて位置しているから、横軸繰出ロール１０の外周と落下ガイド１６との間に誘導流路１７を形成する。
したがって、繰出凹部１１より飛散した粒剤４のうち一部は落下ガイド１６に当たって反射して落下し、一部は落下ガイド１６に非接触のまま誘導流路１７を落下するので、この点でも、横軸繰出ロール１０から育苗箱２に落下する間にタイムラグを発生させる構成を簡単に実現でき、コストを低くする。
【００１４】
また、落下ガイド１６は、下方に至るに従い前側に位置するように傾斜させてているから、落下ガイド１６に当たった粒剤４はすぐに落下（流下）して、落下ガイド１６上に滞留することはない。
この場合、誘導流路１７は、回転ブラシ１５によって刷り切りされた繰出凹部１１内嵌合の粒剤４の定量に対して、これが通過する幅（面積）に形成しているから、繰出凹部１１から落下する粒剤４は円滑に誘導流路１７を流下し、誘導流路１７で詰まるのを防止する。
しかして、粒剤繰出装置５の横軸繰出ロール１０と落下ガイド１６は、育苗箱２の移送方向との関係において、育苗箱２の移送方向の前側に向かって粒剤４が流下するように配置しているから、育苗箱２内に均一に粒剤４を供給する。
即ち、粒剤４の落下軌跡は、側面視下方に至るに従い前方に至るように斜めに落ちるから、育苗箱２の前壁のすぐ後面側でも粒剤４を供給できる。換言すると、図のように、側面視粒剤４が下方に至るに従い移送方向の後方に斜めに落とすと、育苗箱２の前壁が障害になって、前壁によって影となるすぐ後面側に供給できず、特に、少量供給する粒剤繰出装置５においては均一散布（供給）できない。
【００１５】
しかして、落下ガイド１６は、落下ガイド取付板部２０をフレーム２５に取付け、落下ガイド取付板部２０と落下ガイド１６の間には上部誘導板２１を設けているから、回転ブラシ１５の上方は開放しているが、流下口９から流下した全ての粒剤４は落下ガイド１６により案内されて、育苗箱２に供給される。
しかして、横軸繰出ロール１０および回転ブラシ１５は、粒剤繰出装置５のフレーム２５に回転軸２６、回転軸２７を夫々軸装して取付け、回転軸２６、回転軸２７はフレーム２５に設けたモータ２８の回転により回転するから、一々配線することがなく、取付が容易である。
この場合、モータ２８は可変速モータとすると、粒剤４の繰出量を変更調節できて、肥料成分や薬剤成分の相違する粒剤４を選択供給でき、少量供給する粒剤繰出装置５において、微調節可能となって、好適である。
また、モータ２８により粒剤繰出装置５を作動させる構成にすると、回転伝達構成を考慮することなく、所望の位置の移送台１に設けることができ、供給順序を最適にできる。
【００１６】
この場合、フレーム２５を任意の取付部材３０により移送台１に着脱自在に取付けると、一層、一つの移送台１に対して粒剤繰出装置５の位置を変更して、粒剤４の散布する順序を変更でき、好適である。
即ち、粒剤４は、育苗箱２に床土を供給後覆土する間に、育苗箱２へ供給すると、育苗した苗と共に圃場に持ち込まれ、圃場における施肥・施薬作業を省力化でき、そのため、移送台１に設けた床土供給装置と覆土供給装置の間移動させられるように、取付部材３０により着脱自在に移送台１に取付ける。
しかして、図１では、灌水装置３３の前側に設けているから、床土を供給した後に、粒剤４を供給し、粒剤４は苗の根に包まれて本田（ほんでん）への持ち込みが容易になる。
また、図９のように、種子繰出装置３１と土繰出装置３２の間に粒剤繰出装置５を設けて、播種後に粒剤４を供給すると、特に少量散布の場合、覆土量を減少させることができ、好適である。
また、図１０の実施例は、モータ２８に変えて移送台１の回転を伝達して粒剤繰出装置５を作動させるものであり、回転入り切りクラッチ３４により回転を入り切りさせているから、構成を簡素にしている。
【００１７】
【効果】
本発明は、育苗箱２を移送する移送台１の上方位置に、横軸回転で外周面に母線方向に平行な横条溝形状の繰出凹部１１を所定間隔をおいて複数並設した横軸繰出ロール１０と、該横軸繰出ロール１０の回転上昇側の側面に臨ませた供給ホッパー６と、前記横軸繰出ロール１０の上面側に設けた接触面において反対方向回転する回転ブラシ１５と、該回転ブラシ１５の下方を通過して横軸繰出ロール１０の繰出凹部１１より落下する粒剤４を下方の育苗箱２へ案内する落下ガイド１６とを設けた育苗箱用の肥料や薬剤の粒剤繰出装置としたものであるから、横状溝形状の繰出凹部１１の横軸繰出ロール１０を使用しても、粒剤は列にならずに散らばって落下し、均一に繰り出せ、繰出性能を落とすことなく、安価に製造でき、また、繰出量を少量から大量まで対応できて汎用性を向上させる。
本発明は、育苗箱２を移送する移送台１の上方位置に、横軸回転で外周面に母線方向に平行な横条溝形状の繰出凹部１１を所定間隔をおいて複数並設した横軸繰出ロール１０と、該横軸繰出ロール１０の上方に設けた供給ホッパー６と、該供給ホッパー６の粒剤４を繰出凹部１１を有する横軸繰出ロール１０と、前記繰出凹部１１より落下する粒剤４を下方の育苗箱２へ案内する落下ガイド１６とを設けた育苗箱用の肥料や薬剤の粒剤繰出装置としたものであるから、横状溝形状の繰出凹部１１の横軸繰出ロール１０を使用しても、粒剤は列にならずに散らばって落下し、均一に繰り出せ、繰出性能を落とすことなく、安価に製造でき、また、繰出量を少量から大量まで対応できて汎用性を向上させる。
本発明は、前記落下ガイド１６は、平板形状に形成すると共に、横軸繰出ロール１０の外周より所定間隔を置いて離れて位置させて横軸繰出ロール１０の外周との間に繰出凹部１１より落下する粒剤４を下方の育苗箱２へ誘導し上下共開放した誘導流路１７を形成した育苗箱用の肥料や薬剤の粒剤繰出装置としたものであるから、簡単な構成で均一供給を実現でき、安価に製造できる。
本発明は、前記落下ガイド１６は、上部より下方に至るに従い横軸繰出ロール１０に近づく方向に傾斜させた育苗箱用の肥料や薬剤の粒剤繰出装置としたものであるから、落下ガイド１６への滞留、付着を防止し、詰まりを防止する。
本発明は、前記横軸繰出ロール１０は、育苗箱２の移送方向を基準に後側を回転下降側とし、前記落下ガイド１６は、前記横軸繰出ロール１０の回転下降側に移送方向を基準に下方に至るに従い前側に位置するように傾斜させた育苗箱用の肥料や薬剤の粒剤繰出装置としたものであるから、育苗箱２の前壁のすぐ後面側から全面に亘って粒剤４を供給できる。
本発明は、前記横軸繰出ロール１０および回転ブラシ１５は、可変速モータ２８により駆動するようにすると共に、前記移送台１に対して取付部材３０により着脱自在に取付けて取付位置を変更可能に構成した育苗箱用の肥料や薬剤の粒剤繰出装置としたものであるから、粒剤４の散布する順序を簡単に変更できる。
本発明は、前記横軸繰出ロール１０を有する繰出装置５は、前記移送台１に設けた灌水装置３３の前記育苗箱２の移送方向前側に設けた育苗箱用の肥料や薬剤の粒剤繰出装置としたものであるから、床土を供給した後に、粒剤４を供給し、粒剤４は苗の根に包まれて本田（ほんでん）への持ち込みが容易になる。
本発明は、前記横軸繰出ロール１０を有する繰出装置５は、前記移送台１の種子繰出装置３１と土繰出装置３２の間に設けた育苗箱用の肥料や薬剤の粒剤繰出装置としたものであるから、覆土量を減少させられる。
【図面の簡単な説明】
【図１】播種装置の全体側面図。
【図２】粒剤繰出装置の縦断側面図。
【図３】繰出ロールの断面図。
【図４】繰出凹部の断面図。
【図５】繰出状態の説明図。
【図６】粒剤繰出装置の側面図。
【図７】粒剤繰出装置の側面図。
【図８】同背面図。
【図９】播種装置移送台へ粒剤繰出装置の位置を変更した状態の全体側面図。
【図１０】播種装置移送台から回転伝達受ける実施例の側面図。
【図１１】同操作部の平面図。
【図１２】公知の課題を示す説明図。
【符号の説明】
１…移送台、２…育苗箱、３…支脚、４…粒剤、５…粒剤繰出装置、６…供給ホッパー、７…誘導板、８…誘導板、９…流下口、１０…横軸繰出ロール、１１…繰出凹部、１３…角部、１４…傾斜面、１５…回転ブラシ、１６…落下ガイド、１７…誘導流路、２０…落下ガイド取付板部、２１…上部誘導板、２２…飛散防止板、２５…フレーム、２６…回転軸、２７…回転軸、２８…モータ、３０…取付部材、３１…種子繰出装置、３２…土繰出装置、３３…灌水装置、３４…回転入り切りクラッチ。